(57)【要約】【課題】ＭＩＭＯとマルチキャリアのいずれにも対応させる。【解決手段】変換手段１−１〜３が対応するアンテナから受信信号を受け取り基底周波数信号に周波数変換する。生成手段３−１〜３が受信信号を周波数変換する場合に使用する局部発振信号を生成する。判定手段２、４−１〜３が受信信号が、中心周波数の異なる複数の信号を含んでいるか、若しくは、中心周波数の同一の複数の信号を含んでいるかを判定する。設定手段５が受信信号が中心周波数の異なる複数の信号を含んでいると判定された場合に各生成手段で生成される局部発振信号の各周波数を異なる中心周波数に対応して設定し、受信信号が中心周波数の同一の複数の信号を含んでいると判定された場合に各生成手段のうちいずれか１つのみを動作させ、動作させる生成手段で生成される局部発振信号の周波数を同一の中心周波数に対応して設定する。【選択図】図１
2005354383.tif 000002
【特許請求の範囲】
【請求項１】
複数のアンテナを有する受信機において、
前記アンテナと１対１に対応して設置されていて、対応する前記アンテナから受信信号を受け取り基底周波数信号に周波数変換する変換手段と、
前記変換手段と１対１に対応して設置されていて、前記受信信号を周波数変換する場合に使用する局部発振信号を生成する生成手段と、
前記受信信号が、中心周波数の異なる複数の信号を含んでいるか、若しくは、中心周波数の同一の複数の信号を含んでいるかを判定する判定手段と、
前記受信信号が中心周波数の異なる複数の信号を含んでいると判定された場合に各前記生成手段で生成される局部発振信号の各周波数を異なる前記中心周波数に対応して設定し、前記受信信号が中心周波数の同一の複数の信号を含んでいると判定された場合に各前記生成手段のうちいずれか１つのみを動作させ、該動作させる生成手段で生成される局部発振信号の周波数を同一の前記中心周波数に対応して設定する設定手段を具備することを特徴とする受信機。
【請求項２】
複数のアンテナを有する受信機において、
前記アンテナと１対１に対応して設置されていて、対応する前記アンテナから受信信号を受け取り基底周波数信号に周波数変換する変換手段と、
前記変換手段と１対１に対応して設置されていて、前記受信信号を周波数変換する場合に使用する局部発振信号を生成する生成手段と、
前記受信信号が、中心周波数の異なる複数の信号を含んでいるか、若しくは、中心周波数のほぼ同一の複数の信号を含んでいるかを判定する判定手段と、
前記受信信号が中心周波数の異なる複数の信号を含んでいると判定された場合に各前記生成手段で生成される局部発振信号の各周波数を異なる前記中心周波数に対応して設定し、前記受信信号が中心周波数の同一の複数の信号を含んでいると判定された場合に各前記生成手段で生成される局部発振信号の各周波数を同一の前記中心周波数に対応して設定する設定手段を具備することを特徴とする受信機。
【請求項３】
複数のアンテナを有する受信機において、
前記アンテナと１対１に対応して設置されていて、対応する前記アンテナから受信信号を受け取り基底周波数信号に周波数変換する変換手段と、
前記受信信号を周波数変換する場合に使用する局部発振信号を生成する１つの生成手段と、
前記受信信号が、中心周波数の異なる複数の信号を含んでいるか、若しくは、中心周波数の同一の複数の信号を含んでいるかを判定する判定手段と、
前記受信信号が中心周波数の異なる複数の信号を含んでいると判定された場合に前記生成手段で生成される局部発振信号を異なる前記中心周波数に対応する各周波数を有する各信号に設定し、前記受信信号が中心周波数の同一の複数の信号を含んでいると判定された場合に前記生成手段で生成される局部発振信号を同一の前記中心周波数に設定する設定手段を具備することを特徴とする受信機。
【請求項４】
前記設定手段は、
前記生成手段で生成された局部発振信号を分周する分周器と、
前記分周された局部発振信号と前記生成手段で生成された局部発振信号とを乗算する乗算器と
前記乗算された信号と、前記生成手段からの局部発振信号とを前記設定手段の設定に応じて切り換えて前記変換手段に出力する出力手段を含むことを特徴とする請求項３に記載の受信機。
【請求項５】
前記判定手段は、前記受信信号がＩＥＥＥ８０２．１１に規定されたパケット信号である場合に、該パケット信号のヘッダに含まれるシグナルフィールドに記述される情報に基づいて、前記受信信号が、中心周波数の異なる複数の信号を含んでいるか、若しくは、中心周波数の同一の複数の信号を含んでいるかを判定することを特徴とする請求項１から請求項４のいずれかに記載の受信機。
【請求項６】
複数のアンテナを有する送信機において、
前記アンテナから送信される送信信号に、中心周波数の異なる複数の信号を含めるか、若しくは、中心周波数の同一の複数の信号を含めるかを判定する判定手段と、
前記アンテナと１対１に対応して設置されていて、基底周波数信号を周波数変換して前記送信信号を得る場合に使用する局部発振信号を生成する生成手段と、
前記送信信号に中心周波数の異なる複数の信号を含めると判定された場合に各前記生成手段で生成される局部発振信号の各周波数を異なる前記中心周波数に対応して設定し、前記送信信号に中心周波数の同一の複数の信号を含めると判定された場合に各前記生成手段のうちいずれか１つのみを動作させ、該動作させる生成手段で生成される局部発振信号の周波数を同一の前記中心周波数に対応して設定する設定手段と、
前記生成手段と１対１に対応して設置されていて、前記基底周波数信号を判定された各周波数を有する信号に周波数変換する変換手段であって、対応する前記アンテナへ送信信号を供給する変換手段を具備することを特徴とする送信機。
【請求項７】
複数のアンテナを有する送信機において、
前記アンテナから送信される送信信号に、中心周波数の異なる複数の信号を含めるか、若しくは、中心周波数の同一の複数の信号を含めるかを判定する判定手段と、
前記アンテナと１対１に対応して設置されていて、基底周波数信号を周波数変換して前記送信信号を得る場合に使用する局部発振信号を生成する生成手段と、
前記送信信号に中心周波数の異なる複数の信号を含めると判定された場合に各前記生成手段で生成される局部発振信号の各周波数を異なる前記中心周波数に対応して設定し、前記送信信号に中心周波数の同一の複数の信号を含めると判定された場合に各前記生成手段で生成される局部発振信号の各周波数を同一の前記中心周波数に対応して設定する設定手段と、
前記生成手段と１対１に対応して設置されていて、前記基底周波数信号を判定された各周波数を有する信号に周波数変換する変換手段であって、対応する前記アンテナへ送信信号を供給する変換手段を具備することを特徴とする送信機。
【請求項８】
複数のアンテナを有する送信機において、
前記アンテナから送信される送信信号に、中心周波数の異なる複数の信号を含めるか、若しくは、中心周波数の同一の複数の信号を含めるかを判定する判定手段と、
基底周波数信号を周波数変換して前記送信信号を得る場合に使用する局部発振信号を生成する１つの生成手段と、
前記送信信号に中心周波数の異なる複数の信号を含めると判定された場合に前記生成手段で生成される局部発振信号を異なる前記中心周波数に対応する各周波数を有する各信号に設定し、前記送信信号に中心周波数の同一の複数の信号を含めると判定された場合に前記生成手段で生成される局部発振信号の周波数を同一の前記中心周波数に設定する設定手段と、
前記生成手段と１対１に対応して設置されていて、前記基底周波数信号を判定された各周波数を有する信号に周波数変換する変換手段であって、対応する前記アンテナへ送信信号を供給する変換手段を具備することを特徴とする送信機。
【請求項９】
前記設定手段は、
前記生成手段で生成された局部発振信号を分周する分周器と、
前記分周された局部発振信号と前記生成手段で生成された局部発振信号とを乗算する乗算器と
前記乗算された信号と、前記生成手段からの局部発振信号とを前記設定手段の設定に応じて切り換えて前記変換手段に出力する出力手段を含むことを特徴とする請求項８に記載の送信機。
【発明の詳細な説明】
【技術分野】
【０００１】
本発明は、多入力多出力（ＭＩＭＯ）の信号又はマルチキャリアの信号を受信及び送信することができる受信機及び送信機に関する。
【背景技術】
【０００２】
近年無線ＬＡＮなどの無線データ通信に対する高速化の要求が高まっている。無線通信の高速化に対するひとつの手法として多入力多出力（以下ＭＩＭＯ）の技術が提案され、実用化されつつある。これは、同一の周波数の異なる複数の信号を、複数のアンテナから放射することによって、帯域幅を広げることなく伝送レートを上げることを可能ならしめる（例えば、特許文献１参照）。
【特許文献１】特開２００３−２８３３５９公報
【発明の開示】
【発明が解決しようとする課題】
【０００３】
このようなＭＩＭＯの技術は多重波が存在するマルチパス環境下では有効に作用するが、送受信点間が見通し（ＬＯＳ：line of sight）であるような場合に伝送レートが高まらないという短所がある。このような状況に鑑み、複数の信号を複数の周波数を使って送信する必要が生じる。しかし、複数の周波数を使って複数の信号を送信する場合（マルチキャリアの場合）、伝送レートは環境に依存せず上げることが可能となるが、周波数帯域を広く使用してしまうため周波数資源の有効活用という観点では大きな短所となる。そこで、無線機においては、ＭＩＭＯに適した電波環境であれば同一の周波数の信号を複数の受信系統で受信し、マルチキャリアに適した環境では複数の周波数の信号を複数の受信系統で受信する必要がある。
【０００４】
本発明は従来における問題点に鑑み、ＭＩＭＯとマルチキャリアのいずれにも対応した受信機及び送信機を提供することを目的とする。
【課題を解決するための手段】
【０００５】
本発明の受信機によれば、複数のアンテナを有する受信機において、前記アンテナと１対１に対応して設置されていて、対応する前記アンテナから受信信号を受け取り基底周波数信号に周波数変換する変換手段と、前記変換手段と１対１に対応して設置されていて、前記受信信号を周波数変換する場合に使用する局部発振信号を生成する生成手段と、
前記受信信号が、中心周波数の異なる複数の信号を含んでいるか、若しくは、中心周波数の同一の複数の信号を含んでいるかを判定する判定手段と、前記受信信号が中心周波数の異なる複数の信号を含んでいると判定された場合に各前記生成手段で生成される局部発振信号の各周波数を異なる前記中心周波数に対応して設定し、前記受信信号が中心周波数の同一の複数の信号を含んでいると判定された場合に各前記生成手段のうちいずれか１つのみを動作させ、該動作させる生成手段で生成される局部発振信号の周波数を同一の前記中心周波数に対応して設定する設定手段を具備することを特徴とする。
【０００６】
また、本発明の受信機によれば、複数のアンテナを有する受信機において、前記アンテナと１対１に対応して設置されていて、対応する前記アンテナから受信信号を受け取り基底周波数信号に周波数変換する変換手段と、前記変換手段と１対１に対応して設置されていて、前記受信信号を周波数変換する場合に使用する局部発振信号を生成する生成手段と、前記受信信号が、中心周波数の異なる複数の信号を含んでいるか、若しくは、中心周波数のほぼ同一の複数の信号を含んでいるかを判定する判定手段と、前記受信信号が中心周波数の異なる複数の信号を含んでいると判定された場合に各前記生成手段で生成される局部発振信号の各周波数を異なる前記中心周波数に対応して設定し、前記受信信号が中心周波数の同一の複数の信号を含んでいると判定された場合に各前記生成手段で生成される局部発振信号の各周波数を同一の前記中心周波数に対応して設定する設定手段を具備することを特徴とする。
【０００７】
さらに、本発明の受信機によれば、複数のアンテナを有する受信機において、前記アンテナと１対１に対応して設置されていて、対応する前記アンテナから受信信号を受け取り基底周波数信号に周波数変換する変換手段と、前記受信信号を周波数変換する場合に使用する局部発振信号を生成する１つの生成手段と、前記受信信号が、中心周波数の異なる複数の信号を含んでいるか、若しくは、中心周波数の同一の複数の信号を含んでいるかを判定する判定手段と、前記受信信号が中心周波数の異なる複数の信号を含んでいると判定された場合に前記生成手段で生成される局部発振信号を異なる前記中心周波数に対応する各周波数を有する各信号に設定し、前記受信信号が中心周波数の同一の複数の信号を含んでいると判定された場合に前記生成手段で生成される局部発振信号を同一の前記中心周波数に設定する設定手段を具備することを特徴とする。
【０００８】
本発明の送信機によれば、複数のアンテナを有する送信機において、前記アンテナから送信される送信信号に、中心周波数の異なる複数の信号を含めるか、若しくは、中心周波数の同一の複数の信号を含めるかを判定する判定手段と、前記アンテナと１対１に対応して設置されていて、基底周波数信号を周波数変換して前記送信信号を得る場合に使用する局部発振信号を生成する生成手段と、前記送信信号に中心周波数の異なる複数の信号を含めると判定された場合に各前記生成手段で生成される局部発振信号の各周波数を異なる前記中心周波数に対応して設定し、前記送信信号に中心周波数の同一の複数の信号を含めると判定された場合に各前記生成手段のうちいずれか１つのみを動作させ、該動作させる生成手段で生成される局部発振信号の周波数を同一の前記中心周波数に対応して設定する設定手段と、前記生成手段と１対１に対応して設置されていて、前記基底周波数信号を判定された各周波数を有する信号に周波数変換する変換手段であって、対応する前記アンテナへ送信信号を供給する変換手段を具備することを特徴とする。
【０００９】
また、本発明の送信機によれば、複数のアンテナを有する送信機において、前記アンテナから送信される送信信号に、中心周波数の異なる複数の信号を含めるか、若しくは、中心周波数の同一の複数の信号を含めるかを判定する判定手段と、前記アンテナと１対１に対応して設置されていて、基底周波数信号を周波数変換して前記送信信号を得る場合に使用する局部発振信号を生成する生成手段と、前記送信信号に中心周波数の異なる複数の信号を含めると判定された場合に各前記生成手段で生成される局部発振信号の各周波数を異なる前記中心周波数に対応して設定し、前記送信信号に中心周波数の同一の複数の信号を含めると判定された場合に各前記生成手段で生成される局部発振信号の各周波数を同一の前記中心周波数に対応して設定する設定手段と、前記生成手段と１対１に対応して設置されていて、前記基底周波数信号を判定された各周波数を有する信号に周波数変換する変換手段であって、対応する前記アンテナへ送信信号を供給する変換手段を具備することを特徴とする。
【００１０】
さらに、本発明の送信機によれば、複数のアンテナを有する送信機において、前記アンテナから送信される送信信号に、中心周波数の異なる複数の信号を含めるか、若しくは、中心周波数の同一の複数の信号を含めるかを判定する判定手段と、基底周波数信号を周波数変換して前記送信信号を得る場合に使用する局部発振信号を生成する１つの生成手段と、前記送信信号に中心周波数の異なる複数の信号を含めると判定された場合に前記生成手段で生成される局部発振信号を異なる前記中心周波数に対応する各周波数を有する各信号に設定し、前記送信信号に中心周波数の同一の複数の信号を含めると判定された場合に前記生成手段で生成される局部発振信号の周波数を同一の前記中心周波数に設定する設定手段と、前記生成手段と１対１に対応して設置されていて、前記基底周波数信号を判定された各周波数を有する信号に周波数変換する変換手段であって、対応する前記アンテナへ送信信号を供給する変換手段を具備することを特徴とする。
【発明の効果】
【００１１】
本発明の受信機及び送信機によれば、ＭＩＭＯとマルチキャリアのいずれにも対応することができる。
【発明を実施するための最良の形態】
【００１２】
以下、図面を参照しながら本発明の実施形態に係る受信機及び送信機について詳細に説明する。  
（第１の実施形態）  
本実施形態の受信機の一例は、図１に示すように、３つのアナログ周波数変換部１−１、１−２、１−３、ディジタル部２、３つのシンセサイザ３−１、３−２、３−３、３つの選択部４−１、４−２、４−３、シンセサイザ制御部５、アンテナ６−１、６−２、６−３を備えている。  
各アナログ周波数変換部１−１、１−２、１−３は、それぞれ、アンテナ６−１、６−２、６−３から各信号を入力し、ベースバンド信号へ周波数変換する。  
ディジタル部２は、各アナログ周波数変換部１−１、１−２、１−３から出力された各信号をそれぞれディジタル信号に変換する。また、ディジタル部２は、受信した信号に基づいて受信信号がマルチキャリアの信号であるかＭＩＭＯの信号であるかを判定する。この判定に関しては、後に図４を参照して説明する。
【００１３】
シンセサイザ制御部５は、ディジタル部２から出力されたディジタル信号値に応じて各シンセサイザ３−１、３−２、３−３に各シンセサイザ３−１、３−２、３−３で発生する各局部発振信号のそれぞれの周波数を設定する制御信号を生成する。さらに、シンセサイザ制御部５は、この制御信号を各選択部４−１、４−２、４−３にも出力する。  
制御信号は、受信機がマルチキャリアの信号を受信する場合とＭＩＭＯの信号を受信する場合とで異なる。マルチキャリアの信号は複数種類の変調信号を複数の異なる搬送波（キャリア）周波数に重畳させて伝送する方式である。ＭＩＭＯの信号は複数種類の変調信号を同一のキャリアに重畳させて異なるアンテナより放射して伝送する方式である。  
受信機がマルチキャリアの信号を受信する場合は、シンセサイザ制御部５は、マルチキャリアの各信号の周波数に対応した局部発振信号を各シンセサイザ３−１、３−２、３−３が各選択部４−１、４−２、４−３に出力するように指示する制御信号を各シンセサイザ３−１、３−２、３−３に出力する。さらに、シンセサイザ制御部５は、各選択部４−１、４−２がそれぞれシンセサイザ３−１、３−２からの局部発振信号を受け取り、それぞれアナログ周波数変換部１−１、１−２に出力するように指示する制御信号を選択部４−１、４−２に出力する。また、シンセサイザ制御部５は、選択部４−３がシンセサイザ３−３からの局部発振信号を受け取り、アナログ周波数変換部１−３に出力し、シンセサイザ３−３からの局部発振信号を選択部４−１、４−２に出力しないように指示する制御信号を選択部４−３に出力する。
【００１４】
受信機がＭＩＭＯの信号を受信する場合は、シンセサイザ制御部５は、各選択部４−１、４−２がそれぞれシンセサイザ３−１、３−２からの局部発振信号を受け取らず、選択部４−３が出力する局部発振信号を受け取り、それぞれアナログ周波数変換部１−１、１−２に出力するように指示する制御信号を選択部４−１、４−２に出力する。また、シンセサイザ制御部５は、選択部４−３がシンセサイザ３−３からの局部発振信号を受け取り、アナログ周波数変換部１−３に出力し、シンセサイザ３−３からの局部発振信号を選択部４−１、４−２に出力するように指示する制御信号を選択部４−３に出力する。なお、この場合は、シンセサイザ制御部５が、シンセサイザ３−１、３−２に電源オフあるいはバッテリーセービングモードへ入る指示をする制御信号を送信することが望ましい。
【００１５】
各シンセサイザ３−１、３−２、３−３は、シンセサイザ制御部５からの制御信号に応じて、それぞれ所定数の周波数を有する局部発振信号を発生し、この局部発振信号を各選択部４−１、４−２、４−３に出力する。
【００１６】
選択部４−１、４−２は、シンセサイザ制御部５からの制御信号に応じて、それぞれシンセサイザ３−１、３−２から供給される局部発振信号あるいは選択部４−３を介してシンセサイザ３−３より供給される局部発振信号を選択的にそれぞれアナログ周波数変換部１−１、１−２へ供給する。  
選択部４−３は、シンセサイザ制御部５からの制御信号により、シンセサイザ３−３から出力された局部発振信号をアナログ周波数変換部１−３へ信号を供給する。さらに、選択部４−３は、選択部４−１、４−２にアナログ周波数変換部１−３へ供給する局部発振信号と同じ信号を供給する動作、又は供給を断絶する動作を行う。
【００１７】
次に、本実施形態の受信機がマルチキャリアの信号を受信する場合の動作を図１、及び図２を参照して説明する。ここで説明するマルチキャリアの場合、周波数の異なる３種類の信号があるものとし、それぞれの周波数をＦ１、Ｆ２、Ｆ３とする。図２は、マルチキャリアの信号を受信する場合のアンテナ６−１（ＡＮＴ１）、６−２（ＡＮＴ２）、６−３（ＡＮＴ３）が受け取る信号の周波数分布の一例を示している。
【００１８】
図１に示すように、受信信号を受け取ったアンテナ６−１、６−２、６−３はそれぞれ対応するアナログ周波数変換部１−１、１−２、１−３へ信号が送られる。アナログ周波数変換部１−１はＦ１の信号を、アナログ周波数変換部１−２はＦ２の信号を、アナログ周波数変換部１−３はＦ３の信号を受信する、すなわちベースバンド信号へ周波数変換する。この場合、シンセサイザ制御部５が生成する制御信号によりシンセサイザ３−１、３−２、３−３に対してそれぞれアナログ周波数変換部１−１、１−２、１−３へ供給されるべき周波数が設定される。
【００１９】
また、選択部４−３は、シンセサイザ制御部５からの制御信号によりシンセサイザ３−３より入力された局部発振信号をアナログ周波数変換部１−３へ信号を供給し、さらに選択部４−１、４−２に対しては、同じ局部発振信号を供給しない。選択部４−１、４−２は、シンセサイザ制御部５からの制御信号によりシンセサイザ３−１、３−２から供給された局部発振信号をそれぞれアナログ周波数変換部１−１、１−２へ供給する。  
次に、本実施形態の受信機がＭＩＭＯの信号を受信する場合の動作を図１、及び図３を参照して説明する。ここで説明するＭＩＭＯの場合、キャリアは１つのみで上述したマルチキャリアの場合での例に従うと、例えば、Ｆ１である。図３は、ＭＩＭＯの信号を受信する場合のアンテナ６−１（ＡＮＴ１）、６−２（ＡＮＴ２）、６−３（ＡＮＴ３）が受け取る信号の周波数分布の一例を示している。
【００２０】
図１に示すように、受信信号を受け取ったアンテナ６−１、６−２、６−３はそれぞれ対応するアナログ周波数変換部１−１、１−２、１−３へ信号が送られる。アナログ周波数変換部１−１、１−２、１−３は全てＦ１の信号をベースバンド信号へ変換する。この場合、シンセサイザ制御部５が生成する制御信号により、シンセサイザ３−３に対してアナログ周波数変換部１−１、１−２、１−３へ供給されるべき周波数が設定される。
【００２１】
また、シンセサイザ制御部５は、同時にシンセサイザ３−１、３−２に対して電源オフあるいはバッテリーセービングモードへ入る指示を送出する。さらに、選択部４−３は、シンセサイザ制御部５からの制御信号により、シンセサイザ３−３より入力された局部発振信号をアナログ周波数変換部１−３へ供給するだけでなく、選択部４−１、４−２に対しても同じ局部発振信号を供給する。選択部４−１及び４−２は、シンセサイザ制御部５からの制御信号により、選択部４−１から供給された局部発振信号をアナログ周波数変換部１−１、１−２へ供給する。
【００２２】
また、この制御とは異なり、シンセサイザ制御部５がシンセサイザ３−１、３−２に対して電源オフあるいはバッテリーセービングモードへ入る指示を送出せず、選択部４−１、４−２、４−３は、シンセサイザ制御部５からの制御信号により、シンセサイザ３−１、３−２、３−３より入力された局部発振信号をそれぞれアナログ周波数変換部１−１、１−２、１−３へ供給してもよい。
【００２３】
次に、ディジタル部２が、受信した信号に基づいて受信信号がマルチキャリアの信号であるかＭＩＭＯの信号であるかを判定する手法を図４を参照して説明する。ここでは、本実施形態の受信機が受信する信号は、一例としてＩＥＥＥ８０２．１１に規定された方式に対応している場合を説明する。  
ＩＥＥＥ８０２．１１に規定された方式では、送信信号はパケット単位で構成される。そのパケットの構成は、図４に示したように、先頭からショートシンボル、ロングシンボルからなるプリアンブル信号、レート、パケット長などの情報を含んでいるシグナルフィールド、それに続くデータ（ペイロード）からなる。送信信号の、例えば、シグナルフィールドにＭＩＭＯであるかマルチキャリアであるかの情報を埋め込むことによって、受信機がこのシグナルフィールドを参照して受信信号がＭＩＭＯであるかマルチキャリアであるかを判定する。本実施形態の受信機がこの判定を行う動作について以下に説明する。
【００２４】
受信機が最初に信号を受信した瞬間、その受信信号は受信側ではシングルキャリアなのか、ＭＩＭＯなのか、マルチキャリアなのか判別がつかないため、まずはシングルキャリアで受信を試みる。図１に示したディジタル部２で復調を行い、パケット中のシグナルフィールドに至ったところで、シグナルフィールドに含まれている情報からディジタル部２が、到来信号がシングルキャリアなのか、ＭＩＭＯなのか、マルチキャリアなのかを判別する。  
この後、ディジタル部２がシンセサイザ制御部５にシングルキャリア、ＭＩＭＯ、又はマルチキャリアの判別信号を送出する。判別信号を受け取ったシンセサイザ制御部５は到来信号がシングルキャリアの場合は、シングルキャリアの信号を受信する設定に、ＭＩＭＯの場合はＭＩＭＯの信号を受信する設定に、マルチキャリアの信号の場合はマルチキャリアの信号を受信する設定にし、その後は上記に説明した処理を行う。シングルキャリアの信号を受信する場合は、例えば、上述したＭＩＭＯの信号を受信する場合で、ある１つのアンテナアナログ周波数変換部、シンセサイザだけを動作させこれらによって、シングルキャリアの信号を受信する。具体的には、本実施形態の受信機は、例えば、アンテナ６−３、アナログ周波数変換部１−３、シンセサイザ３−３、ディジタル部２によってシングルキャリアの信号を受信する。
【００２５】
以上のように動作することにより、マルチキャリア受信時にはアナログ周波数変換部に対してマルチキャリアの信号を受信するのに必要な局部発振信号が各シンセサイザより供給され、またＭＩＭＯ受信時には、アナログ周波数変換部に対して、同一周波数の信号が同一のシンセサイザから供給されるので、マルチキャリア受信とＭＩＭＯ受信を同一の受信機によって行うことができる。
【００２６】
なお、本実施形態では、アンテナが３系統の場合について説明を行っているが、複数系統であれば本実施形態と同様の効果が得られることはいうまでもない。
【００２７】
さらに、本実施形態に示した受信機は全て送信機として同様の動作を行うことも可能である。この場合、送信信号がディジタル部２から各アナログ周波数変換部１−１、１−２、１−３を通過して各アンテナ６−１、６−２、６−３から送信される。シンセサイザ制御部５が送信周波数を各シンセサイザ３−１、３−２、３−３、選択部４−１、４−２、４−３に指示することになる。このような送信機の場合にも、マルチキャリア送信時にはアナログ周波数変換部に対してマルチキャリアの信号を送信するのに必要な局部発振信号が各シンセサイザより供給され、またＭＩＭＯ送信時には、アナログ周波数変換部に対して、同一周波数の信号が同一のシンセサイザから供給されるので、マルチキャリア送信とＭＩＭＯ送信を同一の送信機によって行うことができる。
【００２８】
（第２の実施形態）  
本実施形態の受信機の一例は、図５に示すように、第１の実施形態の受信機とは異なり、選択部４−１、４−２、４−３を設けず代わりに周波数合成部７を設け、さらに、シンセサイザを３つ設ける代わりに１つのみシンセサイザ３を設ける。この他の本実施形態の受信機は、第１の実施形態の受信機と同様である。第１の実施形態の受信機と同様な箇所は同一の符号を付しその説明は省略する。  
周波数合成部７は、受信機がマルチキャリアの信号を受信する場合とＭＩＭＯの信号を受信する場合とで異なる制御信号をシンセサイザ制御部５から受け取る。周波数合成部７の構造に関しては後に図６を参照して詳細に説明する。  
受信機がマルチキャリアの信号を受信する場合は、マルチキャリアの各信号の周波数に対応した局部発振信号を各アナログ周波数変換部１−１、１−２、１−３に出力するようにシンセサイザ３からの局部発振信号の周波数を調整して出力する。すなわち、第１の実施形態と同様に、周波数の異なる３種類の信号があるものとし、それぞれの周波数をＦ１、Ｆ２、Ｆ３とすると、周波数合成部７は、シンセサイザ３が発振した局部発振信号をこの局部発振信号の周波数をＦ１、Ｆ２、Ｆ３に対応して変更した３種類の局部発振信号をそれぞれアナログ周波数変換部１−１、１−２、１−３に出力して、各アナログ周波数変換部１−１、１−２、１−３はそれぞれＦ１、Ｆ２、Ｆ３の周波数の信号を受信することが可能になる。
【００２９】
受信機がＭＩＭＯの信号を受信する場合は、ＭＩＭＯの信号の周波数に対応した局部発振信号を各アナログ周波数変換部１−１、１−２、１−３に出力するようにシンセサイザ３からの局部発振信号を出力する。シンセサイザ３が出力する局部発振信号の周波数をＭＩＭＯの信号の周波数に設定しておくことが好ましい。もちろん、シンセサイザ３が出力する局部発振信号の周波数がＭＩＭＯの信号の周波数と異なっている場合は、周波数合成部７がシンセサイザ３からの局部発振信号の周波数を調整してＭＩＭＯの信号の周波数と同一になるように調整する。
【００３０】
次に、周波数合成部７の一例を図６を参照して説明する。図６の周波数合成部７は、アンテナが３系統の場合についてのものである。  
周波数合成部７は、図６に示したように、分周器１１、２つの周波数変換器１２−１、１２−２、２つの加算器１３−１、１３−２、２つのスイッチ１４−１、１４−２を備えている。
【００３１】
シンセサイザ３が出力する局部発振信号は、アナログ周波数変換部１−１にそのまま出力され、他に分周器１１及びスイッチ１４−１、１４−２の各端子に出力される。分周器１１は、シンセサイザ３から出力される局部発振信号を入力して、この局部発振信号の周波数を変して周波数変換器１２−１、１２−２に出力する。各スイッチ１４−１、１４−２は、それぞれアナログ周波数変換部１−２、１−３と、シンセサイザ３の出力端子及び加算器１３−１、１３−２の出力端子のいずれかの出力端子と接続させる。スイッチ１４−１、１４−２は、シンセサイザ制御部５からの制御信号によって切り換えられる。
【００３２】
分周器１１、周波数変換器１２−１、１２−２、加算器１３−１、１３−２の回路によりシンセサイザ３の局部発振信号の周波数を変更する。すなわち、この回路は、シンセサイザ３からの周波数Ｆ１に対応した局部発振信号を、Ｆ２に対応した周波数を有する局部発振信号に変更し加算器１３−１から出力し、Ｆ３に対応した周波数を有する局部発振信号に変更し加算器１３−２から出力する。この結果、アナログ周波数変換部１−１、１−２、１−３は、それぞれＦ１、Ｆ２、Ｆ３の周波数の信号を受信することが可能になる。
【００３３】
同一周波数で送信されるＭＩＭＯの信号を受信する場合は、アナログ周波数変換部１−２、１−３が直接シンセサイザ３に接続するようにスイッチ１４−１、１４−２を切り換えるために、シンセサイザ制御部５がスイッチ１４−１、１４−２に制御信号を出力する。図６に示したスイッチ１４−１、１４−２の状態は、ＭＩＭＯ信号を受信する場合である。  
一方、異なる周波数で送信されるマルチキャリアの信号を受信する場合は、スイッチ１４−１、１４−２を加算器１３−１、１３−２側に切り換える。
【００３４】
以上に示した本実施形態によれば、周波数合成部を設けることによりシンセサイザひとつでＭＩＭＯ信号にもマルチキャリア信号にも対応可能な受信機を実現することが可能となり、第１の実施形態の効果に加えて、受信機の小型化、低消費電力化に多大な貢献をもたらす。
【００３５】
なお、本実施形態でも第１の実施形態と同様に、アンテナが３系統の場合について説明を行っているが、複数系統であれば本実施形態と同様の効果が得られることはいうまでもない。
【００３６】
さらに、本実施形態に示した受信機も第１の実施形態と同様に、全て送信機として同様の動作を行うことも可能である。この場合、送信信号がディジタル部２から各アナログ周波数変換部１−１、１−２、１−３を通過して各アンテナ６−１、６−２、６−３から送信される。シンセサイザ制御部５が送信周波数を周波数合成部７に指示することになる。このような送信機の場合にも、マルチキャリア送信時には各アナログ周波数変換部に対してマルチキャリアの信号を送信するのに必要な局部発振信号が周波数合成部７から供給され、またＭＩＭＯ送信時には、各アナログ周波数変換部に対して、同一周波数の信号が同一のシンセサイザから供給されるので、マルチキャリア送信とＭＩＭＯ送信を同一の送信機によって行うことができる。
【００３７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３８】
【図１】本発明の第１の実施形態に係る受信機及び送信機のブロック図。
【図２】マルチキャリアの信号を受信する場合の図１のアンテナ（ＡＮＴ１、ＡＮＴ２、ＡＮＴ３）が受け取る信号の周波数分布の一例を示す図。
【図３】ＭＩＭＯの信号を受信する場合の図１のアンテナ（ＡＮＴ１、ＡＮＴ２、ＡＮＴ３）が受け取る信号の周波数分布の一例を示す図。
【図４】本発明の実施形態の受信機が受け取る信号の構成を示す図。
【図５】本発明の第２の実施形態に係る受信機及び送信機のブロック図。
【図６】図５の周波数合成部の一例を示すブロック図。
【符号の説明】
【００３９】
１−１、１−２、１−３・・・アナログ周波数変換部、２・・・ディジタル部、３、３−１、３−２、３−３・・・シンセサイザ、４−１、４−２、４−３・・・選択部、５・・・シンセサイザ制御部、６−１、６−２、６−３・・・アンテナ、７・・・周波数合成部、１１・・・分周器、１２−１、１２−２・・・周波数変換器、１３−１、１３−２・・・加算器、１４−１、１４−２・・・スイッチ
【図１】
2005354383.tif 000003
【図２】
2005354383.tif 000004
【図３】
2005354383.tif 000005
【図４】
2005354383.tif 000006
【図５】
2005354383.tif 000007
【図６】
2005354383.tif 000008